(57)【特許請求の範囲】
【請求項１】
供給される映像情報及び／又は音声情報を少なくとも含む情報信号の記録、又は記録した情報信号の再生を行う際に、その情報信号の記録のために利用者が操作した操作情報、その情報信号の予約記録に関わる操作情報、その記録した情報信号の再生方法に係る操作情報、又はそれらの操作に基づいてなされた前記情報信号の記録／再生の動作履歴情報、の少なくとも１つの情報を含むデジタル情報を第１の記憶媒体に記憶すると共に、その第１の記憶媒体に記憶されたデジタル情報は前記情報信号の記録及び／又は再生動作に係る操作又は動作に応じて記憶が更新され、その第１の記憶媒体に記憶されるデジタル情報を第２の記憶媒体にバックアップ情報として記憶するデジタル情報のバックアップ方法であって、
前記第１の記憶媒体に記憶されたデジタル情報をネットワークを介して前記第１の記憶媒体との間に伝送経路が確立される第２の記憶媒体に伝送する第１のステップと、
その第１のステップにより第２の記憶媒体に伝送した前記デジタル情報の返送を要求する第２のステップと、
その第２のステップによりなされる返送要求に基づいて、前記第１の記憶媒体へ前記第２の記憶媒体より前記ネットワークを介して伝送路を確立して前記デジタル情報を伝送する第３のステップとを少なくとも有してなることを特徴とするデジタル情報のバックアップ方法。
【請求項２】
前記第１のステップにおけるデジタル情報の伝送は、暗号化されたデジタル情報として伝送することを特徴とする請求項１記載のデジタル情報のバックアップ方法。
【請求項３】
前記暗号化された情報の伝送は、前記第２の記憶媒体側において前記暗号化されたデジタル情報の復号化を許可するための復号化許可情報を付加して行うことを特徴とする請求項２記載のデジタル情報のバックアップ方法。
【請求項４】
利用者側にある記録再生装置の第１の記憶媒体よりネットワークを介して伝送される、映像及び／又は音声情報を少なくとも含む情報信号の記録再生のために利用者が操作した操作情報、その情報信号の予約記録に係る操作情報、その記録した情報信号の再生方法に係る操作情報、又はそれらの操作に基づいてなされた前記記録再生の動作履歴情報、の少なくとも１つの情報を含むデジタル情報を記憶装置の側で受信し、その受信されたデジタル情報をその記憶装置の第２の記憶媒体に記憶すると共に、その記憶されたデジタル情報は前記利用者からの要求に応じて前記記録再生装置の第１の記憶媒体に前記ネットワークを介して伝送するようになすことを特徴とするデジタル情報バックアップシステム。
【請求項５】
利用者側にある記録再生装置の第１の記憶媒体よりネットワークを介して伝送される、映像及び／又は音声情報を少なくとも含む情報信号の記録再生のために利用者が操作した操作情報、その情報信号の予約記録に係る操作情報、その記録した情報信号の再生方法に係る操作情報、又はそれらの操作に基づいてなされた前記記録再生の動作履歴情報、の少なくとも１つの情報を含むデジタル情報を記憶装置の側で受信し、その受信されたデジタル情報をその記憶装置の第２の記憶媒体に記憶すると共に、その記憶されたデジタル情報は前記利用者からの要求に応じて前記記録再生装置の第１の記憶媒体に前記ネットワークを介して伝送するようになすことを特徴とするデジタル情報提供方法。
【請求項６】
前記利用者側にある記録再生装置の第１の記憶媒体より伝送されるデジタル情報が暗号化された情報であると共に、記憶装置側においてそのデジタル情報の復号化を許可するとされる信号が付加されて受信されるときは、その記憶装置側で前記デジタル情報に新たな情報を付加した情報をデジタル情報として生成し、その生成されたデジタル情報を前記記録再生装置の第１の記憶媒体に伝送するようになすことを特徴とする請求項５記載のデジタル情報提供方法。
【発明の詳細な説明】
【０００１】
【発明の属する技術分野】
本発明は、映像、音声などのデジタル情報を記録再生するデジタル記録再生装置において、ユーザの設定するデジタル情報を記録再生するための情報のバックアップ方法、情報のバックアップシステム、及びそれに基づくサービス形態に関する。
【０００２】
【従来の技術】
従来より、アナログ方式によるテレビジョン放送が行われているが、それにＢＳ放送、ＣＳ放送も行われる等放送チャンネル数は増加傾向にある。そして最近になり、ＢＳデジタル放送も開始され、２００３年には地上波デジタル放送も開始されるべく準備が進められている。
【０００３】
それらのデジタル放送は、映像信号をＭＰＥＧ（moving picture experts group）−２方式により圧縮符号化を行い、効率の高いデジタル変調方式を用いて放送を行うため、１チャンネルのアナログＴＶ放送帯域を用いてデジタル３チャンネルの放送がなされるなど、放送チャンネルは更に増加される。
【０００４】
そのような中で、放送サービスを受信する利用者は受信されるチャンネルを頻繁に切り替えながら興味を持つ番組を探し当てて視聴する、いわゆるチャンネルホッピングがなされながら受信され、利用者の希望する番組が探し当てられ、その探し当てられた番組の視聴が継続されるのが通例である。
【０００５】
しかし、その場合は希望する番組が探し当てられるまでの最初の部分が受信されないこととなり、番組を録音、録画するためのチャンネル検索としては好ましくなく、記録を目的とする番組は新聞、あるいは雑誌の番組表を見ながら番組内容を予め把握し、そのチャンネルの番組を記録すべくＶＴＲ等にそのチャンネルの番組記録の予約を行なうようになされている。
【０００６】
そして、放送局側でも、受信者にそのような番組検索の便宜を図るためＥＰＧ（Electric Program Guide）情報を放送周波数帯で、あるいは副搬送波を用いる付加情報チャンネルでコード情報として放送することにより放送受信者側で番組検索が出来るような工夫を行っている。
【０００７】
このようにして、番組利用者は年々増加傾向にある受信チャンネルより、嗜好レベルの高い番組を探し、その番組の視聴、及びタイムシフトしての記録を行うこととなり、そして今後は、利用者の希望する番組を人工知能的な能力を有するエージェントが出現し、自動的に嗜好する番組を探索し利用者に提示する、あるいは自動的にその番組を記録するといった機能が実現されていくものと考えられている。
【０００８】
そして、そのような自動的に利用者（ユーザ）の嗜好する番組（コンテンツ）を探索（サーチ）する機能を有する番組受信機、ないしは番組記録装置は、放送される番組情報を一時記憶し、又外部に蓄積されている番組データベースのサーバーに通信し、嗜好番組検索エンジンを用いて嗜好する番組を検索して嗜好する番組情報を得ることになる。
【０００９】
さらに、その嗜好番組検索エンジンは、ユーザの嗜好に基づく検索プログラム、及び番組嗜好データベースを有しており、その検索プログラム、及び番組嗜好データベースはユーザ毎に異なった内容であり、その内容は毎回の番組予約記録実績、番組視聴時間、あるいは嗜好キーワードの入力操作により構築され、充実されて行くものである。
【００１０】
即ち、映像及び音声のデジタル記録再生装置において構築され、充実された番組検索用情報は、例えばユーザが好みに応じて行う設定を内部メモリに記録しておき、装置を利用するごとにユーザの好みを反映した動作が行われるようになされる。
【００１１】
また、そのようにしてなされる動作は、コンテンツを磁気テープや光ディスクなどの記録媒体に記録すると共に、ＥＰＧ（Electronic Program Guide：電子番組案内）をはじめとする番組情報は内部メモリに記録され、ユーザが記録した番組を一覧表示するなどにより記録番組の一括管理がなされ、記録したコンテンツの検索を容易に行える様にするものでもある。
【００１２】
【発明が解決しようとする課題】
ところで、このようにして番組視聴装置、ないしは番組記録装置の、例えばメモリ回路に一時記憶された番組検索用嗜好情報データベース、番組検索エンジンの付加プログラム、及び過去に記録したコンテンツ検索のための番組記録情報は、そのユーザ個人の財産であり、その個人にとって非常に貴重である。
【００１３】
しかし、一般的な番組視聴装置、ないしは番組記録再生装置において、その様な貴重な情報が内部メモリに記憶されているときは便利にそれらの機能を利用することができるが、通常はその内部メモリの記憶内容を他の記憶媒体にバックアップとしてコピーするなどの機能が有されていない。
【００１４】
そして、何らかの理由によりそのメモリに記憶した情報が読み出せなくなったときは、メモリ内のユーザの設定した情報、及びユーザの利便性を高めるための情報が失われてしまうことになる。
【００１５】
そして、仮にその番組視聴装置、ないしは番組記録再生装置にメモリに記憶される情報を他の記録媒体にバックアップできるような機能が付加されている場合でも、一般のユーザにそのバックアップを行わせるのはユーザに対して煩雑であり、装置が正常に動作しているときはバックアップの必要性も感じられないのが通例である。
【００１６】
そこで、このような個人の番組視聴、記録操作の実績により作成された番組検索用嗜好情報データベース、番組検索エンジンの付加プログラム、及び過去に記録したコンテンツ検索のための番組記録情報等は、定期的に外部のサービスプロバイダが有するバックアップ用記憶媒体にネットワーク等を介して伝送して記憶し、ユーザの受信装置、ないしは記録装置に異常が生じたとき、又はそれらの装置の交換を行ったときにバックアップ用記録媒体に記憶されているデータをユーザの管理する装置を指定して伝送する様にして機能の回復を行なうようにするものである。
【００１７】
【課題を解決するための手段】
本発明は、上記課題を解決するために以下の１）〜６）の手段より成るものである。
すなわち、
【００１８】
１）  供給される映像情報及び／又は音声情報を少なくとも含む情報信号の記録、又は記録した情報信号の再生を行う際に、その情報信号の記録のために利用者が操作した操作情報、その情報信号の予約記録に関わる操作情報、その記録した情報信号の再生方法に係る操作情報、又はそれらの操作に基づいてなされた前記情報信号の記録／再生の動作履歴情報、の少なくとも１つの情報を含むデジタル情報を第１の記憶媒体に記憶すると共に、その第１の記憶媒体に記憶されたデジタル情報は前記情報信号の記録及び／又は再生動作に係る操作又は動作に応じて記憶が更新され、その第１の記憶媒体に記憶されるデジタル情報を第２の記憶媒体にバックアップ情報として記憶するデジタル情報のバックアップ方法であって、
前記第１の記憶媒体に記憶されたデジタル情報をネットワークを介して前記第１の記憶媒体との間に伝送経路が確立される第２の記憶媒体に伝送する第１のステップ（２３１）と、
その第１のステップにより第２の記憶媒体に伝送した前記デジタル情報の返送を要求する第２のステップ（２２７）と、
その第２のステップによりなされる返送要求に基づいて、前記第１の記憶媒体へ前記第２の記憶媒体より前記ネットワークを介して伝送路を確立して前記デジタル情報を伝送する第３のステップ（２３１）とを少なくとも有してなることを特徴とするデジタル情報のバックアップ方法。
【００１９】
２）  前記第１のステップにおけるデジタル情報の伝送は、暗号化されたデジタル情報として伝送することを特徴とする１）項記載のデジタル情報のバックアップ方法。
【００２０】
３）  前記暗号化された情報の伝送は、前記第２の記憶媒体側において前記暗号化されたデジタル情報の復号化を許可するための復号化許可情報を付加して行うことを特徴とする２）項記載のデジタル情報のバックアップ方法。
【００２１】
４）  利用者側にある記録再生装置の第１の記憶媒体よりネットワークを介して伝送される、映像及び／又は音声情報を少なくとも含む情報信号の記録再生のために利用者が操作した操作情報、その情報信号の予約記録に係る操作情報、その記録した情報信号の再生方法に係る操作情報、又はそれらの操作に基づいてなされた前記記録再生の動作履歴情報、の少なくとも１つの情報を含むデジタル情報を記憶装置の側で受信し、その受信されたデジタル情報をその記憶装置の第２の記憶媒体に記憶すると共に、その記憶されたデジタル情報は前記利用者からの要求に応じて前記記録再生装置の第１の記憶媒体に前記ネットワークを介して伝送するようになすことを特徴とするデジタル情報バックアップシステム。
【００２２】
５）  利用者側にある記録再生装置の第１の記憶媒体よりネットワークを介して伝送される、映像及び／又は音声情報を少なくとも含む情報信号の記録再生のために利用者が操作した操作情報、その情報信号の予約記録に係る操作情報、その記録した情報信号の再生方法に係る操作情報、又はそれらの操作に基づいてなされた前記記録再生の動作履歴情報、の少なくとも１つの情報を含むデジタル情報を記憶装置の側で受信し、その受信されたデジタル情報をその記憶装置の第２の記憶媒体に記憶すると共に、その記憶されたデジタル情報は前記利用者からの要求に応じて前記記録再生装置の第１の記憶媒体に前記ネットワークを介して伝送するようになすことを特徴とするデジタル情報提供方法。
【００２３】
６）  前記利用者側にある記録再生装置の第１の記憶媒体より伝送されるデジタル情報が、暗号化された情報であると共に、記憶装置側においてそのデジタル情報の復号化を許可するとされる信号が付加されて受信されるときは、その記憶装置側で前記デジタル情報に新たな情報を付加した情報をデジタル情報として生成し、その生成されたデジタル情報を前記記録再生装置の第１の記憶媒体に伝送するようになすことを特徴とする５）項記載のデジタル情報提供方法。
【００２７】
【発明の実施の形態】
以下、本発明のデジタル情報のバックアップ方法、デジタル情報バックアップシステム、及びデジタル情報提供方法の実施の形態につき、好ましい実施例により説明する。
図１に、その実施例に関わるデジタル情報バックアップシステムの概略構成を示す。
【００２８】
同図に示すデジタル情報バックアップシステムは、サービスセンタ１０に大容量記憶媒体１１が設置されており、またユーザ２０には記録媒体２４に番組を記録すると共に、ユーザの嗜好情報及び記録番組に関する情報を記憶するメモリ２２８を内蔵する記録再生装置２２が設置されており、ユーザ２０とサービスセンタ１０とはインターネット（ネットワーク）３０により結合されている。
【００２９】
次に、このように構成される情報バックアップシステムの動作について述べる。
まず、記録再生装置２２はメモリ２２８に記憶されるユーザ嗜好情報を基にして、受信されたＥＰＧ（Electronic Program Guide：電子番組案内）情報より、又はネットワーク３０に接続される図示しない放送番組情報を記憶するサーバーのデータベースより得た番組情報より、ユーザの嗜好する番組が検索、選択され、その選択された番組は記録媒体２４に記録される。
【００３０】
そして、記録された番組に関わる、例えばＥＰＧなどより得られた番組情報もまたメモリ２２８に記憶され、ユーザはそのメモリ２２８に記憶される番組情報より、記録媒体に記録される番組の一覧情報を得、その得られた一覧情報を基にして記録された番組の視聴がなされるようになされる。
【００３１】
このようにして、メモリ２２８には嗜好番組検索用の情報、及び記録を行った番組に関する情報が記憶され、その記憶された情報に基づいて記録再生装置２２の動作がなされるが、そのメモリ２２８に記憶された情報はインタネット３０を介してサービスセンタ１０の大容量記憶媒体１１に供給され、供給されたそれらの情報は大容量記憶媒体１１に記憶される。
【００３２】
そして、それらの情報の供給は、例えば記録再生装置２２で新しい番組の記録がなされたときに記録再生装置２２が有する通信機能により、自動的にユーザと契約のなされているサービスセンタ１０が呼び出され、メモリ回路に記憶されるそれらの情報が伝送され、大容量記憶媒体１１への記憶がなされるようになっている。
【００３３】
そのようにして、記憶がなされた大容量記憶媒体に記憶されるデータの読み出しは、ユーザからの要求によりなされる場合、あるいはユーザがサービスセンタと定期的なダウンロードサービスの契約を行っている場合は必要に応じてサービスセンタ１０よりユーザ２０のメモリ２２８に記憶されているデータの内容が読み出され、メモリ記憶内容に修復が必要とされるときはメモリ２２８の記憶内容が追記される、又は書き替えられるようになされる。
【００３４】
以上の様にして、メモリ２２８に記憶される記録再生装置２２の操作、及び動作の経歴により生成された番組嗜好情報、及び記録媒体２４に記録された番組に関する記録情報はネットワーク３０を介して大容量記憶媒体１１に伝送されて記憶されるため、記録再生装置２２の不具合に基づくメモリ記憶内容の消去、あるいは記憶データの破壊に対し、サービスセンタより正常時のメモリ記憶内容を得ることができるため、記録再生装置２２の状態を正常に戻すことができると共に記録した記録媒体２４の番組一覧、及びその一覧からの例えば検索による番組の指定などの機能をも正常に回復することが出来る。
【００３５】
次に、そのような番組記録再生装置に内蔵されるメモリ記憶内容の回復機能を持たせるために、サービスセンタ１０に設置されるバックアップ装置１０ａの構成を示し、その動作について述べる。
【００３６】
図２に、そのバックアップ装置の構成を示す。
同図におけるバックアップ装置１０ａは大容量記憶媒体１１、バックアップ情報解析部１２、及び付加情報記憶部１３より構成され、そのバックアップ装置１０ａはネットワーク３０に結合されている。
【００３７】
このようにネットワーク３０に結合されるバックアップ装置１０ａは、まずネットワーク３０を介して契約されるユーザより送信されるメモリ２２８の記憶内容のデータを受信し、受信されたデータはバックアップ情報解析部１２に供給される。
【００３８】
そのバックアップ情報解析部１２では、バックアップデータに付随されるコンテンツリスト等の情報が得られ、それらのコンテンツリスト等の情報を基にバックアップ情報解析部にて解析して得られるバックアップデータの種類に応じ、データ本体に付加される付加情報は付加情報記憶部１３に、データ本体は大容量記憶媒体１１にバックアップ用データとして記憶される。
【００３９】
このようにして、バックアップ用データは大容量記憶媒体１１に記憶され、記憶されたデータはユーザからの要求により、又はメモリ２２８より伝送されたデータを解析し、メモリ２２８に記憶されるデータの更新が必要とされるときにユーザ２０に対して伝送されることになる。
【００４０】
次に、そのユーザが有する記録再生システムについて述べる。
図３は、ユーザが所有する記録再生システム２０ａであり、その記録再生システム２０ａは表示装置（ＴＶ）２１、メモリ２２８を内蔵する記録再生装置２２、及びＤＶＤ−ＲＡＭなどの光ディスク２４、ないしはカセットテープ２５などの記録媒体より構成される。
【００４１】
このように構成される記録再生システム２０ａは放送される映像や音声等のコンテンツを記録媒体２４、又は２５にデジタル記録し、その記録されたコンテンツを再生し、再生して得られる映像、音声信号を表示装置２１に表示、発音させると共に、その表示装置２１には光ディスク２４、ないしはカセットテープ２５に記録されたコンテンツを、一覧表示するためのコンテンツリスト情報が表示される。
【００４２】
ユーザはその一覧表示されるコンテンツリストを基にそのコンテンツが記録されている光ディスク２４、又はカセットテープ２５を記録再生装置２２にセットして再生する。
【００４３】
そして、そのコンテンツの再生はユーザにより予め設定されたプレイリスト情報に基づく再生順序で再生されると共に、その再生は例えば通常速度による再生の外に予め設定された特殊再生効果を伴った再生動作での再生がなされるようになっている。
【００４４】
そのユーザにより予め設定された特殊再生効果はコンテンツリスト情報と共にメモリ２２８に一時記憶されており、コンテンツリストより再生されるべき番組が選定されたときにはその特殊再生効果情報もメモリ２２８より読み出され、再生された記録媒体から得られるタイムスタンプなどの再生時間情報を基に特殊再生効果が付与された映像、ないしは音声として生成され、表示装置２１に表示、ないしは発音される。
【００４５】
このようにして、メモリ２２８には前述の嗜好する番組の予約記録を行うための番組嗜好情報、記録したコンテンツ一覧表、及び検索のためのコンテンツリスト情報、そして再生される番組の特殊再生を行うための特殊再生情報などの情報が記憶されている。
【００４６】
そして、それらのメモリ２２８に記憶されるそれぞれの情報は、ユーザが記録再生装置２２を操作、ないしは使用するごとに更新され、ユーザ２０が記録再生装置２２を使用するときの利便性がその度に向上されるようになされている。
【００４７】
このような、ユーザの個々の操作、ないしは使用の状況を基にして生成される利便性を向上させるための情報はユーザが記録再生装置２２を購入した時点では記憶されていなく、ユーザが日常的に行う使用状況に応じて蓄積、更新されて行く。
【００４８】
従って、仮に記憶再生装置２２に内蔵されるＣＰＵ（Central Processing Unit）が暴走して、メモリ２２８の内容を破壊してしまったときなどは、装置のリセット処理を行うことにより購入時点の状態に戻せるが、ユーザが使用した経歴に基づくデータは消失されたままである。
【００４９】
そのような事故に対処するため、メモリ２２８に記憶される内容を他の例えばフロッピディスクなどにコピーしバックアップとして保管する方法はあるが、頻繁にバックアップ処理を行う、あるいは一般の民生機器ユーザにそのようなバックアップ処理の操作を行わせるのは好ましくない。
【００５０】
そこで、このような記録再生装置購入後にユーザの使用状況に基づく利便性向上のために蓄積される情報をサービスセンタに伝送し、そのサービスセンタに設置される大容量記憶媒体１１にその情報の蓄積を行うが、次にその機能を有する記録再生装置２２の構成と動作について詳述する。
【００５１】
図４に、記録再生装置の構成を示し、その動作について述べる。
同図に示す記録再生装置２２は、入力部２２１、記録部２２２、記録媒体を挿入して記録を行う記録媒体部２２３、再生部２２４、Ｄ／Ａ変換部２２５、出力部２２６、編集部２２７、メモリ２２８、暗号化／復号化部２２９、及びインターネット３０を介してサービスセンタ１０との通信を行なう通信部２３１より構成される。
【００５２】
このように構成される記録再生装置２２は、まず編集部２２７が操作されて記録すべき番組に関する情報、ないしは自動的に番組予約をして記録すべき番組嗜好情報が入力され、入力された番組記録に関わる情報はメモリ２２８に記憶される。
【００５３】
その記憶された記録番組情報に基づいて、番組予約記録設定のなされたデジタル衛星放送などの放送波は入力部２２１で受信され、受信されて得られる映像、ないしは音声信号、及び付随して放送されるＥＰＧ情報は記録部２２２に供給される。
【００５４】
記録部２２２では、供給されたＥＰＧ信号は編集部２２７に供給され、例えばコンテンツリスト生成用信号として用いられると共に、映像、ないしは音声信号はその信号を記録媒体に記録するための誤り信号訂正信号の付加、及びデジタル変調のされた信号として生成され、そのようにして生成された信号は記録媒体部２２３に供給される。
【００５５】
記録媒体部２２３では、供給された信号を記録媒体に記録するための、例えばＤＶＤ−ＲＡＭ駆動部、ＶＴＲ駆動部等により構成され、それらの駆動部に挿入される例えばＤＶＤ−ＲＡＭディスク２４、ないしはビデオカセットテープ２５に供給されたデジタル変調信号が記録される。
【００５６】
そのようにして記録媒体２４、又は２５に記録されたデジタル変調信号の再生は、記録媒体２４、又は２５が記録媒体部に挿入されて再生され、再生された信号は再生部２２４に供給され、デジタル復調、誤り信号の訂正処理等がなされて復号信号が得られ、その得られた復号信号のうちの番組に関する情報信号は編集部２２７に供給されると共に、映像、ないしは音声信号はＤ／Ａ変換器２２５に供給される。
【００５７】
Ｄ／Ａ変換器２２５では供給されたデジタル映像信号、ないしはデジタル音声信号はアナログ映像信号、アナログ音声信号に変換され、アナログ信号に変換された映像、音声信号は出力部２２６により増幅された信号とされてディスプレイ２１に供給され、映像信号は映像表示器に表示され、音声信号はスピーカより発音される。
【００５８】
このようにして映像、音声信号はユーザにより視聴されるが、その視聴される番組情報に関わる情報は編集部２２７よりメモリ２２８に供給され、また記録媒体に記録されるコンテンツの視聴順序等に関わる再生情報は編集部２２７に接続される図示しない操作部が操作されて生成される。
【００５９】
そして、コンテンツはその操作されて生成されたシーケンス情報に従って記録媒体がアクセスされ、その規定される順序で再生されるが、その情報は再生される毎にその内容がメモリ２２８に更新されるようにして記憶される。
【００６０】
そして、そのシーケンス情報、及びそのコンテンツが記録されている媒体の種類、その識別コードもまたメモリ２２８に蓄積される。
これらの番組予約記録を行うための番組嗜好情報、記録した番組に関するＥＰＧ情報、番組再生のためのシーケンス情報などはメモリ２２８に記憶されるが、これらの情報はユーザが記録再生装置を使用することにより生成され、蓄積された貴重なデータである。
【００６１】
そして、そのような貴重なデータを事故による消失から保護するため、メモリ２２８に記憶される情報は暗号化／復号化部２２９に供給されて暗号化処理がなされ、暗号化処理のなされた信号は通信部２３１に供給される。
【００６２】
その通信部２３１には図示しないモデムが内蔵されており、供給された信号をデジタル変調して変調信号を得ると共にサービスセンタ１０にある大容量記憶媒体が接続されるサーバーのアドレスを受信端末として指定し、その得られた変調信号をインターネット（ネットワーク）３０に供給する。
【００６３】
このようにして、暗号化されたメモリ２２８に記憶される貴重なデータはサービスセンタの大容量記憶媒体に蓄積され、ユーザの記録再生装置に異常が生じたとき、ないしは記録再生装置の買い増し、交換が行われるときなどはサービスセンタに記憶されるデータはユーザに対して伝送されるようになされている。
【００６４】
そのデータのユーザへの伝送は、所定の暗号化がなされた信号とされて伝送され、ユーザ情報の他への漏洩、悪用を防止しているが、そのようにして伝送される記憶情報はユーザにより指定される記録再生装置２２のメモリ２２８に対して行われる。
【００６５】
次に、そのメモリ２２８に蓄積されるデータの構造について述べる。
図５は、メモリ２２８に記憶されるデータの構造を示したものである。
同図において、記憶されるデータの領域は暗号鍵情報領域（１）、ユーザデータ領域（１）、暗号鍵情報領域（２）、ユーザデータ領域（２）、暗号鍵情報領域（３）、及びユーザデータ領域（３）よりなっている。
【００６６】
このように、メモリ２２８にはユーザデータ領域と共にそのデータに対する暗号鍵情報を記憶するための暗号鍵情報領域とが組として設けられる領域設定となっている。
【００６７】
そして、その暗号鍵情報は例えば６４ビットからなり、対応するユーザデータ領域の全ての情報、もしくは一部の情報を、ＤＥＳ（Data Encryption Standard： FIPS PUB 46-3）により暗号化する際に使用する情報である鍵情報を、又は鍵情報を生成するための鍵信号生成用情報を記録する。
【００６８】
また、暗号化に対するセキュリティレベルを重視する場合は、暗号鍵情報を記録再生装置２２内のメモリ２２８とは異なる図示しない他のメモリに記録するようにしてもよい。
【００６９】
次に、その暗号情報と対の関係にあるユーザデータ領域に記録する情報について述べる。
即ち、ユーザデータ領域に記憶されるデータのうち、記録媒体を記録再生する際にユーザの利便性を向上するためのデータとしては、記録媒体との対応関係を示す記録媒体識別情報、記録媒体内のデータとの時間的な対応関係を示す同期情報、記録したコンテンツのジャンルを示す記録コンテンツジャンル情報、コンテンツを記録した開始及び終了日時、コンテンツを再生した最終再生日時を示す記録・再生日時情報、ＥＰＧ等の放送局から送信されたコンテンツに付随する情報などがある。
【００７０】
また、ユーザが設定した順にコンテンツを再生するための情報として、プレイリスト情報、記録コンテンツを特徴的なシーンを静止画で一覧表示するためのサムネイル情報、及び記録したコンテンツの特殊再生に必要な特殊再生情報などが記録される。
【００７１】
このようにして、ユーザデータ領域には番組嗜好情報、記録番組に付随される情報、及び番組再生のための情報が記憶されるが、次にこれらの情報を暗号化して他への漏洩を防止して伝送するための暗号化方法について詳述する。
【００７２】
図６に、メモリ２２８に記憶されたデータをインターネットに供給するときに使用する情報の暗号化方法を示す。
同図に示す暗号化方法は、６４ビットの暗号鍵情報が供給され、その暗号鍵情報と、ユーザより入力されたパスワードをハッシュ関数によりランダム化処理がなされて生成された信号とがＤＥＳ信号処理部に供給されて暗号化された暗号鍵情報が得られる。
【００７３】
そして、メモリ２２８に記憶されているユーザデータはそのＭＳＢ（最上位ビット）よりＬＳＢ（最下位ビット）までのデータが６４ビットづつに分割されたＰ1、Ｐ2、・・・、Ｐn-1、Ｐnのデータとされ、それらの分割された各々のデータは暗号鍵情報が供給されるそれぞれのＤＥＳ信号処理部に供給され、それらのＤＥＳ信号処理部より暗号化処理がなされた、各々が６４ビットで構成されるＣ1、Ｃ2、・・・、Ｃn-1、Ｃnの暗号化処理のなされたデータが得られる。
【００７４】
このようにして得られたＣ1、Ｃ2、・・・、Ｃn-1、Ｃnの暗号化されたデータはＭＳＢから順にシリーズデータとして並べられ、その並べられたデータは所定のデータブロックにより伝送される。
【００７５】
図７に、暗号化されたデータを伝送するためのデータブロック構成を示す。
同図において、インターネット３０に供給される信号は、６４ビットのユーザ識別情報、１ビットの復号化許可ビット、６４ビットの暗号化した暗号鍵ビット、及びそれぞれが６４ビットであるｎ（ｎは整数）個の暗号化したデータの順に配置されて伝送される。
【００７６】
このようにして伝送される最初のブロックであるユーザ識別情報は、サービスセンタ１０とユーザ２０との契約に基づいてサービスセンタより与えられ、サービスセンタにおけるデータの管理に利用するための、記録再生装置に固有な情報を含み、バックアップの通信時に自動生成されるコードである。
【００７７】
そのユーザ識別コードの次に伝送される復号化許可ビットは、データを伝送するユーザがサービスセンタに対して伝送される暗号化されたデータの復号化を許可するか否かを示す復号化許可ビットであり、例えばそのビットが「０」であるときはサービスセンタでの復号化を許可しないこととし、「１」であるときは復号化を許可することとする。
【００７８】
その復号化許可ビットが「１」でありサービスセンタにおける復号化が許可されるときは、サービスセンタで暗号化されたデータを復号化し、ユーザの記録、再生した番組、及びコンテンツを、記録コンテンツ識別情報、記録再生日時情報、インデックス情報等により解析することができる。
【００７９】
この解析するために必要な復号用暗号化鍵情報は、ユーザから直接取得する方法もあるが、公開鍵暗号方式を用いる場合はインターネットを介して取得することができ、また予めサービスセンタにバックアップ保管されている暗号化した暗号鍵情報を、ユーザがサービスセンタに登録したパスワードをもとに復号化して利用する方法もある。
【００８０】
このようにして復号化されたデータを基に、サービスセンタでは例えば番組嗜好情報に基づく、あるいは解析した番組記録データをもとに、ユーザの嗜好に合わされた情報が選択されて供給され、ユーザ側ではその情報を基に嗜好する番組の予約記録が行えるなどの活用が出来るようにされる。
【００８１】
そのようにしてサービスセンタよりユーザに供給されるデータは暗号化処理がなされた信号として伝送され、ユーザはその暗号化された情報を解読して番組の予約記録、あるいはメモリ内容のバックアップ処理を行う。
【００８２】
図８に、暗号化されたデータの復号化方法を示す。
暗号化されたデータは前述の図７に示したデータ構成と同様な伝送フォーマットで伝送されるが、最初にそのように伝送されたデータより暗号化された鍵情報が取得される。
【００８３】
次に、その取得された暗号化された鍵情報と、編集部２２７が操作されて入力されたパスワードがハッシュ関数処理部により処理されたデータと、がＤＥＳ処理手段で解読処理され、暗号鍵情報が得られる。
【００８４】
その得られた暗号鍵情報と、６４ビット毎に分割された暗号化されたデータＣ1、Ｃ2、・・・、Ｃn-1、Ｃnのそれぞれとが、それぞれのＤＥＳ信号処理部に供給され、それらのＤＥＳ信号処理部ではそれぞれの６４ビット毎の暗号化されたデータが解読されて６４ビットごとのユーザデータＰ1、Ｐ2、・・・、Ｐn-1、Ｐnが得られる。
【００８５】
それらの得られたデータをＭＳＢからＬＳＢの順に並べたのがメモリ２２８に記憶されていたデータであり、そのデータを用いて何らかの異常により失われたメモリ２２８の記憶データの修復が行われる。
【００８６】
以上のように本実施例の装置によれば、個人の番組視聴、記録操作の実績により作成された番組検索用嗜好情報のデータベース、番組検索エンジンの付加プログラム、及び過去に記録したコンテンツ検索のための番組記録情報、記録した番組の再生方法に関わる情報は、定期的に外部のサービスプロバイダが有するバックアップ用記憶媒体にネットワーク等を介して伝送して記憶し、ユーザの受信装置、又は記録装置に異常が生じたとき、ないしはそれらの装置の交換を行ったときにバックアップ用記録媒体に記憶されているデータをユーザの管理する装置を指定してサービスプロバイダに記憶されているデータを伝送することにより、ユーザがそれらの装置を操作、及び動作させて生成した番組の記録、及び再生のための機能の回復を行なうことができるものである。
【００８７】
また、メモリ２２８に記憶される以外の、ユーザに供給されるデータは、そのデータ毎に前述の図７に示したフォーマットと同様のデータ伝送フォーマットを定義し、その定義された伝送フォーマットにより必要とされるデータがサービスセンタよりユーザに伝送されるようになされる。
【００８８】
また、そのときに伝送する情報について映像、及び音声信号である番組信号に対して付随的に用いられる個人の番組検索用嗜好情報、番組記録情報、番組再生情報等の情報のサービスセンタにおけるバックアップに関して述べたが、そのバックアップは映像、及び音声信号そのものに対して行なうことが出来る。
【００８９】
その映像、及び音声信号そのものとは、例えば映像信号をＭＰＥＧ（moving picture experts group）−４により圧縮符号化の行われた信号として動画撮影が可能である小型ビデオカメラで撮影した映像を、例えばスマートメディアのようなフラッシュメモリを記録媒体として記録するような小型撮影記録装置に関してである。
【００９０】
その半導体で構成されるフラッシュメモリは媒体駆動機構が不用であるため小形で軽量な記録装置を構成することができるが、反面そのフラッシュメモリの記憶容量は製造上等の原因により実現可能な記録容量には制限があり、それを用いるビデオカメラは例えば１時間程度の映像、及び音声を記録する記録再生機器として製品化される。
【００９１】
このような、記録容量の小さなビデオカメラを移動用として使用するときに、移動先では１時間以上の撮影を行うためには、複数のフラッシュメモリを用いて行う必要があり、予め高価なフラッシュメモリを複数準備して交換しながら撮影する方法はあるが、その場合はビデオカメラシステムとしての価格が高くなることとなり便利なビデオカメラとはいえない。
【００９２】
そこで、前述のサービスセンタの大容量記憶媒体を一時的な記録媒体として使用することにより、即ち移動先でサービスセンタと通信を行いフラッシュメモリの記録内容をインターネットなどを介してサービスセンターに転送することにより実質的な撮影時間を延長する方法がある。
【００９３】
その記録時間の延長は、移動先が遠方であるほどユーザにとって利点が多く、ユーザは延べで長時間の移動撮影を少ないフラッシュメモリを再利用することにより行うことができる。
【００９４】
そして、長時間の複数回のサービスセンターへのデータ転送をメディアに固有なＩＤ情報を設定して行い、ビデオカメラはそのＩＤ情報を管理情報として、撮影した日時、撮影モード、圧縮符号化時の転送レートに関わる画質モードに関する情報等をビデオカメラ本体内のメモリに記憶して管理することができる。
【００９５】
そして、それらのビデオカメラ本体内に設けられるメモリに記憶したメディアの管理情報は記録情報としてインターネットなどを介してサービスセンタに伝送し、前述と同様の方法により大容量記憶媒体にバックアップしておくようにする。
【００９６】
ユーザは、移動撮影終了後にその大容量記憶媒体にバックアップされている複数の映像信号のカット、およびそれらの映像信号と共に記憶された管理情報を例えばビデオカメラと異なるＰＣ等にダウンロードにより得ることにより、撮影したビデオカメラを用いることなく複数の映像信号の中から、希望する映像信号を探し出し、その映像の編集を行うことができる。
【００９７】
以上の様に、映像、及び音声信号は放送される番組信号に限ることなく、ユーザが撮影した映像、音声信号であっても良く、それらの映像信号に付加される記録情報を含めてサービスセンタに記憶することにより、ユーザは映像信号、及び付随信号のバックアップサービスを受けることができるものである。
【００９８】
【発明の効果】
請求項１記載の発明によれば、個人の番組視聴、記録操作の実績により生成された番組検索用嗜好情報、過去に記録したコンテンツ検索のための番組記録情報等の情報、及び記録した番組の再生に係る情報は、定期的に外部のサービスプロバイダのバックアップ用記憶媒体にネットワーク等を介して伝送して記憶するため、ユーザの受信装置、又は記録装置に異常が生じたとき、ないしはそれらの装置の新設を行ったときなどにそのデータをそれらの装置に伝送することによりそれらの装置を購入後に蓄積した番組受信装置、及び記録装置による番組の記録、及び再生のための機能の回復を行なうことができるデジタル情報のバックアップ方法を提供できる効果がある。
【００９９】
また、請求項２記載の発明によれば、特にサービスプロバイダへのデータの伝送は暗号化して行うため、請求項１の効果に加え個人情報の漏洩、及び悪用などを防いだデジタル情報のバックアップ方法を提供できる効果がある。
【０１００】
また、請求項３記載の発明によれば、特にユーザからサービスプロバイダに供給される暗号化された情報に、サービスプロバイダによる暗号の復号化が許可されるフラグが付されて伝送されるとき、サービスプロバイダはユーザから伝送される情報を復号化できるので、サービスプロバイダは個人情報の他にユーザに有効な情報を付加して提供することが出来るため、請求項２の効果に加えユーザに対し更に利便性を向上させたデジタル情報のバックアップ方法を提供できる効果がある。
【０１０１】
また、請求項４記載の発明によれば、個人の番組視聴、記録操作の実績により作成された番組検索用嗜好情報、過去に記録したコンテンツ検索のための番組記録情報、及び記録した番組の再生方法等の情報は、定期的に外部のサービスプロバイダのバックアップ用記憶媒体にネットワーク等を介して伝送されて記憶されるため、ユーザの受信装置、又は記録装置に異常が生じたとき、ないしはそれらの装置の新設を行ったときなどにそれらのデータをそれらの装置に伝送することによりそれらの装置を購入後に蓄積した番組受信装置、及び記録装置による番組の記録、及び再生のための機能回復を行なうことができるデジタル情報のバックアップシステムを提供できる効果がある。
【０１０２】
また、請求項５記載の発明によれば、個人の番組視聴、記録操作の実績により作成された番組検索用嗜好情報、過去に記録したコンテンツ検索のための番組記録情報、及び記録した番組の再生方法等に係る情報は、定期的に外部のサービスプロバイダのバックアップ用記憶媒体にネットワーク等を介して伝送して記憶するため、ユーザの受信装置、又は記録装置に異常が生じたとき、ないしはそれらの装置の新設、交換を行ったときなどにそのデータをそれらの装置に伝送することによりそれらの装置を購入後に蓄積した番組受信装置、及び記録装置による番組の記録、及び再生のための機能回復を行なうことができるデジタル情報のバックアップサービス方法を提供できる効果がある。
【０１０３】
また、請求項６記載の発明によれば、特にサービスプロバイダへのデータの伝送は暗号化して行うため個人情報の漏洩、及び悪用などを防いだデジタル情報のバックアップシステムを提供できる他に、ユーザからサービスプロバイダに供給される暗号化された情報に、サービスプロバイダによる暗号の復号化が許可されるフラグが付されて伝送されるとき、サービスプロバイダはユーザから伝送される情報を復号化できるため、サービスプロバイダは個人情報の他にユーザに有効な情報を付加した情報を提供することが出来るため、請求項５の効果に加えユーザに対し更に利便性を向上させたデジタル情報のバックアップサービス方法を提供できる効果がある。
【図面の簡単な説明】
【図１】本発明の実施例に係るデジタル情報バックアップシステムの概略構成を示す図である。
【図２】本発明の実施例に係るバックアップ装置の構成を示す図である。
【図３】本発明の実施例に係る記録再生システムの構成を示す図である。
【図４】本発明の実施例に係る記録再生装置の構成を示す図である。
【図５】本発明の実施例に係る記録再生システムのメモリに記憶されるデータの構造を示す図である。
【図６】本発明の実施例に係る情報の暗号化方法を示す図である。
【図７】本発明の実施例に係る暗号化データのデータブロックを示す図である。
【図８】本発明の実施例に係る情報の暗号化された信号の復号化方法を示す図である。
【符号の説明】
１０  サービスセンタ
１０ａ  バックアップ装置
１１  大容量記憶媒体
１２  バックアップ情報解析部
１３  付加情報記憶部
２０  ユーザ
２０ａ  記録再生システム
２１  ディスプレイ
２２  記録再生装置
２４  光ディスク
２５  カセットテープ
３０  インターネット（ネットワーク）
２２１  入力部
２２２  記録部
２２３  記録媒体部
２２４  再生部
２２５  Ｄ／Ａ変換部
２２６  出力部
２２７  編集部
２２８  メモリ
２２９  暗号化／復号化部
２３１  通信部
【図１】
0003883038.tif 000002
【図２】
0003883038.tif 000003
【図３】
0003883038.tif 000004
【図４】
0003883038.tif 000005
【図５】
0003883038.tif 000006
【図６】
0003883038.tif 000007
【図７】
0003883038.tif 000008
【図８】
0003883038.tif 000009